【手続補正書】
【提出日】平成15年10月17日(2003.10.17)
【手続補正１】
【補正対象書類名】明細書
【補正対象項目名】特許請求の範囲
【補正方法】変更
【補正の内容】
【特許請求の範囲】
【請求項１】
哺乳動物の乳頭からミルクを受け取る入口と、出口とを有する測定室と；
前記測定室内へ延びる軸に沿って移動可能な、前記出口を開閉するバルブと；
前記バルブが開いた際に、前記測定室の前記出口からミルクを受け取る入口と、ミルクを収集タンクへ排出する出口とを有する排出室と；
前記バルブの前記移動軸上に設けられ、前記測定室内でのミルクの高さを検出すると共に該検出値に応じて前記バルブを制御するセンサと；を備えるミルク計量器。
【請求項２】
前記センサは前記測定室内を前記軸に沿って往復する可動フロートを備える請求項１記載のミルク計量器。
【請求項３】
前記バルブは前記測定室内を前記軸に沿って往復する可動プランジャを備え；
前記フロートは前記プランジャを囲むと共に、前記測定室内のミルクの高さに応じて前記軸に沿って往復移動するように前記プランジャにガイドされている請求項２記載のミルク計量器。
【請求項４】
哺乳動物の乳頭からミルクを受け取る入口と、出口とを有する測定室と；
前記測定室の下方に前記測定室と同軸に設けられ、前記測定室の前記出口からミルクを受け取る入口と、ミルクを収集タンクへ排出する出口とを有する排出室と；
前記２つの室の少なくとも一方に設けられ、前記軸に沿って延びる静止台座と；
前記台座により前記台座と同心に案内され、前記軸に沿って往復する可動プランジャを有し、前記測定室の前記出口を開閉するバルブと；
前記測定室内を前記軸に沿って前記台座及び前記プランジャと同心に往復し、前記測定室内のミルクの高さを検出する可動フロートと；を備えるミルク計量器。
【請求項５】
前記プランジャは前記台座を囲み；
前記フロートは前記プランジャを囲む請求項４記載のミルク計量器。
【請求項６】
前記台座は前記排出室から前記排出室の前記入口及び前記測定室の前記出口を通過して上向きに延び、前記測定室内へ所与の距離だけ上向きに延びる上部を有し；
前記測定室はバルブ駆動機構を有し；
前記プランジャは前記バルブ駆動機構から下向きに前記台座の周囲を囲むように延びる請求項５記載のミルク計量器。
【請求項７】
前記フロートは磁石を有し；
前記台座は、前記上部内の鉛直方向に離間された位置に、前記測定室内でのフロートの異なる高さを検出して前記バルブの駆動機構を制御する磁気反応センサを有する請求項６記載のミルク計量器。
【請求項８】
哺乳動物の乳頭からミルクを受け取る入口と、出口とを有する測定室と；
前記測定室内へ延びる軸に沿って移動可能な、前記出口を開閉するバルブと；
前記バルブが開いた際に、前記測定室の前記出口からミルクを受け取る入口と、ミルクを収集タンクへ排出する出口とを有する排出室と；
前記測定室の前記排出室とは反対側の端部に設けられ、前記バルブを駆動して開閉させるバルブ駆動機構と；を備え、
前記バルブは、前記測定室の前記出口を閉じる周縁シールを有する可動プランジャを含み；
前記測定室は前記測定室の前記出口に比して大径で、かつ、前記プランジャの前記周縁シールに比して大径のアクセス開口を有し；
前記アクセス開口において前記測定室に固定されたキャップを更に備え；
前記キャップは前記プランジャに係合する前記バルブ駆動機構を搭載し、前記プランジャを駆動して前記測定室の前記出口を開閉するよう操作可能であり、
前記キャップは、前記測定室の前記上部開口を通して前記プランジャへアクセスし、前記アクセス開口を通して前記プランジャを取り外すことができるように取外し可能であるミルク計量器。
【請求項９】
哺乳動物の乳頭からミルクを受け取る入口と、出口とを有する測定室と；
前記測定室の前記出口からミルクを受け取る入口と、ミルクを収集タンクへ排出する出口とを有する排出室と；
シールを有する可動プランジャを備え、前記測定室の前記出口を開閉するバルブと；
可変の真空が作用すると共に前記プランジャに連結され、前記プランジャを駆動して前記測定室の前記出口を開閉する可動ダイヤフラムを備えるバルブ駆動機構と；を備え、
前記測定室は真空が作用し；
前記ダイヤフラムは前記測定室内の真空が作用する一側面を有し；
前記測定室に取り付けられ、前記可変の真空が供給される制御ポートを有するキャップを更に備え；
前記ダイヤフラムは前記制御ポートを通して供給された前記キャップ内の前記可変の真空が作用するもう一つの側面を有するミルク計量器。
【請求項１０】
哺乳動物の乳頭からミルクを受け取る入口と、出口とを有する測定室と；
前記測定室の前記出口に連通する入口と、ミルクを収集タンクへ排出する出口とを有する排出室と；
前記２つの室の少なくとも一方に設けられ、前記室の双方を貫通して延びる軸を定める静止台座と；
前記台座により前記台座と同心に案内され、前記軸に沿って往復する可動プランジャを備え、前記測定室の前記出口を開閉するバルブと；
前記軸上に設けられ、前記測定室内のミルクの高さに反応して前記バルブの開閉を制御するレベルセンサと；を備えるミルク計量器。
【請求項１１】
前記排出室は前記排出室の前記出口の周囲にダム壁を有し；
前記ダム壁は流れ制限開口を有し、これにより、前記排出室内のミルクは前記排出室から前記ダム壁の前記開口を通って前記排出室の前記出口へ荒立つことなくゆっくりと排出される請求項１０記載のミルク計量器。
【請求項１２】
哺乳動物の乳頭からミルクを受け取る入口と、出口とを有する測定室と；
前記測定室の前記出口に連通する入口と、ミルクを収集タンクへ排出する出口とを有する排出室と；
前記測定室、前記測定室の前記出口、前記排出室の前記入口、及び前記排出室を通過して延びる鉛直軸に沿って往復するプランジャを備え、前記測定室の前記出口を開閉するバルブと；
前記鉛直方向に往復するプランジャと同軸の、前記プランジャに沿って鉛直方向に往復するフロートを備えるレベルセンサと；を備えるミルク計量器。
【請求項１３】
前記測定室は、下方の前記排出室と連通する前記測定室の前記出口となる開口を備える下床を有し；
前記プランジャは前記開口を閉じるシールを有し；
前記排出室から前記開口を貫通して前記測定室内へ上向きに延びる静止台座を備え；
前記フロートは前記プランジャを囲み；
前記プランジャは前記台座を囲み、前記台座に沿って入れ子式に下向きに延びる請求項１２記載のミルク計量器。
【請求項１４】
哺乳動物の乳頭からミルクを受け取る入口と、出口とを有する測定室と；
前記測定室の前記出口からミルクを受け取る入口と、ミルクを収集タンクへ排出する出口とを有する排出室と；
前記測定室内に設けられ、前記測定室の前記入口からのミルクの流れを前記測定室内へ導く第１のバッフルと；
前記排出室内に設けられ、前記排出室の前記入口からのミルクの流れを前記排出室内へ導く第２のバッフルと；を備えるミルク計量器。
【請求項１５】
哺乳動物の乳頭からミルクを受け取る入口と、出口とを有する測定室を備え、該測定室は内面を備える円筒壁を有する円筒室よりなり、前記円筒室に設けられたバッフルが前記入口からのミルクの流れを前記円筒壁の前記内面へ該内面に沿って流れるように導くミルク計量器において、
前記バッフルは、前記円筒壁の前記内面に向けて下向きかつ外向きのテーパ状にされ、少なくとも一部が前記円筒壁の前記内面からミルクが通過して流れる径方向ギャップだけ離間された周縁部を有するスカート部を有する円錐台状部材よりなる、ミルク計量器。
【請求項１６】
哺乳動物の乳頭からミルクを受け取る入口と、出口とを有する測定室と；
前記測定室の前記出口からミルクを受け取る入口と、出口とを有する排出室と；
前記排出室内に設けられ、前記排出室の前記入口からのミルクの流れを前記排出室内へ導くバッフルと；を備え、
前記排出室は前記排出室の前記出口の周囲にダム壁を有し；
前記ダム壁は、前記排出室から前記排出室の出口への流れを制限する流れ制限開口を有し；
前記バッフルは、前記排出室内の前記排出室の前記入口と前記排出室の前記出口との間に設けられ、ミルクの流れを前記ダム壁を越えて横方向に前記排出室内へ導く外側部を有してミルクが前記排出室の前記入口から前記排出室の前記出口への直接流れることを防止し、これにより、ミルクは前記ダム壁の前記流れ制限開口を通って流れなければならない、ミルク計量器。
【請求項１７】
哺乳動物の乳頭からミルクを受け取る入口と、出口とを有する測定室と；
前記測定室の前記出口からミルクを受け取る入口と、出口とを有する排出室と；
前記排出室内に設けられ、前記排出室の前記入口からのミルクの流れを前記排出室内へ導くバッフルと；を備え、
前記バッフルは前記排出室の入口に配設され；
前記バッフルは前記測定室の前記出口内へ延びる中央部と、該中央部から径方向外向きに前記排出室内へ延びる外周縁フランジとを有する帽子形部材よりなり；
前記フランジは前記排出室の前記入口からミルクが通過して流れるギャップを隔てて離間され、前記ギャップを通過したミルクは前記バッフルの前記中央部から離れて、前記フランジに沿って径方向外向きに前記排出室内へ導かれる、ミルク計量器。
【請求項１８】
哺乳動物の乳頭からミルクを受け取る入口と、出口とを有する測定室と；
前記測定室の前記出口からミルクを受け取る入口と、出口とを有する排出室と；
前記排出室内に設けられ、前記排出室の前記入口からのミルクの流れを前記排出室内へ導くバッフルと；を備え、
前記バッフルは前記排出室の入口に配設され；
前記排出室は前記排出室の前記出口を供する開口を備える下床を有し；
前記排出室は、前記下床から上向きに延び、前記排出室の前記入口近傍で前記バッフルを支持する支持壁を有し；
前記バッフルは、前記排出室の前記出口から上方に離間され、ミルクの流れを前記排出室内の、前記排出室の前記出口の横方向外側へ導く周縁フランジを備え；
前記支持壁は、ミルクが前記排出室の横方向外側の部位から前記排出室の前記出口へ向けて流通する流れ制限開口を有するダム壁を備え、これにより、前記排出室にその入口を通って流入するミルクは、前記バッフルにより横方向外向きに前記ダム壁の横方向外側の前記下床へ導かれ、次に、前記流れ制限開口を通って前記排出室の前記出口へ横方向内向きに流れることで、ミルクは前記排出室から荒立つことなくゆっくりと排出される、ミルク計量器。